(57)【要約】【課題】クリアランスランプ用光源であるＬＥＤを内蔵する光投射ユニットを備えた投射型自動車用ヘッドランプを提供する。【解決手段】略椀形状リフレクター26と、リフレクター26の第１焦点に配置した光源24と、リフレクター26の第2焦点より前方に配置した投射レンズ28とを一体化した光投射ユニットＵを備え、光投射ユニットＵ内にクリアランスランプ用の光源（ＬＥＤ）40を設けた投射型ヘッドランプで、光投射ユニットＵの周壁にユニット外に連通する開口50を設け、該開口50内にＬＥＤ40およびＬＥＤ40の発光を拡散してリフレクター26に導くサブリフレクター42を設けた。開口50位置はユニットＵ内部ほど高温とならず、ＬＥＤ40は熱的損傷を受けない。指向性が強い（拡散角が狭い）ＬＥＤ40の発光は、サブリフレクター44の拡散反射面44ａで反射されて拡散光となり、リフレクター26で反射されて投射レンズ28全体を発光させる。【選択図】  図１
2006086062.tif 000002
【特許請求の範囲】
【請求項１】
略椀形状のリフレクターと、前記リフレクターの略第１焦点に配置された光源と、前記リフレクターの第２焦点より前方に配置された投射レンズとを一体化した光投射ユニットを備え、前記光投射ユニット内にクリアランスランプ用の光源が設けられた投射型自動車用ヘッドランプにおいて、
前記光投射ユニットの周壁に光投射ユニット外に連通する開口が設けられ、該開口には、前記クリアランスランプ用の光源であるＬＥＤと、前記ＬＥＤの出射光を拡散光にして前記リフレクターまたは前記投射レンズに導くサブリフレクターが配置されたことを特徴とする投射型自動車用ヘッドランプ。
【請求項２】
前記サブリフレクターは、横方向に延在するシリンドリカルステップが縦方向に連続する上下方向拡散反射面を備えたことを特徴とする請求項１に記載の投射型自動車用ヘッドランプ。
【請求項３】
前記サブリフレクターは、前記ＬＥＤの光軸周りの回転放物面で構成した左右方向拡散反射面を備えたことを特徴とする請求項１または２に記載の投射型自動車用ヘッドランプ。
【請求項４】
略椀形状のリフレクターと、前記リフレクターの略第１焦点に配置された光源と、前記リフレクターの第２焦点より前方に配置された投射レンズとを一体化した光投射ユニットを備え、前記光投射ユニット内にクリアランスランプ用の光源が設けられた投射型自動車用ヘッドランプにおいて、
前記光投射ユニットにおける周壁に光投射ユニット外に連通する開口が設けられ、該開口には、前記クリアランスランプ用の光源であるＬＥＤと、前記ＬＥＤの出射光を拡散光にして前記リフレクターまたは前記投射レンズに導く拡散レンズが配置されたことを特徴とする投射型自動車用ヘッドランプ。
【請求項５】
前記投射レンズ外周の少なくとも一部にプリズムレンズが設けられたことを特徴とする請求項１〜４のいずれかに記載の投射型自動車用ヘッドランプ。
【発明の詳細な説明】
【技術分野】
【０００１】
本発明は、略椀形状のリフレクターで反射した光源光を投射レンズによって前方に投射配光する光投射ユニットを備えた投射型自動車用ヘッドランプに係り、特に、光投射ユニットに設けられたクリアランスランプ用光源の発光で投射レンズが点灯してクリアランスランプとしても機能する投射型自動車用ヘッドランプに関する。
【背景技術】
【０００２】
この種の従来技術としては、下記特許文献１が知られている。ここには、図６に示すように、ランプボディ１と前面レンズ２で画成された灯室内に、光源４を装着したリフレクター５と前方の投射レンズ６とをレンズホルダー７を介し一体化した光投射ユニットＡが収容され、ユニットＡ内にはクリアランスランプ用の光源である白熱バルブ８が配置されている。
【特許文献１】実開平４−４３５０１号公報
【発明の開示】
【発明が解決しようとする課題】
【０００３】
しかしながら前記した従来技術では、クリアランスランプ用の光源として白熱バルブ８が使用されているが、白熱バルブ８は消費電力および発熱量が大きく、寿命が短い。また、白熱バルブ８は比較的大型のため、ヘッドランプの配光形成に寄与する光を遮光しないようにその配置位置が制約されるとか、投射レンズ６を介して白熱バルブ８が透けて見えて見栄えが悪いなどの問題があった。
【０００４】
そこで発明者は、白熱バルブに比べて消費電力および発熱量が小さく、しかも非常にコンパクトな発光ダイオード（以下、ＬＥＤという）をクリアランスランプ用の光源として利用できないかと考えた。
【０００５】
しかし、開発過程で、以下の２つの問題が提起された。第１には、ＬＥＤは白熱バルブに比べて耐熱性が劣るため、高温となる光投射ユニット内に従来技術（白熱バルブ）と同様の形態では使用できない。第２には、ＬＥＤは、白熱バルブに比べて出射光の指向性が強く（拡散角が狭く）、投射レンズの一部の領域にしか出射光が導かれず、投射レンズ全体が発光しないため、クリアランスランプ点灯時の被視認性が悪い。
【０００６】
そこで、発明者は、光投射ユニットの下面壁にユニット外部と連通する開口を設け、この開口の下方にＬＥＤを設けるようにすれば、前記した第１の問題（熱の問題）が解決される、と考えた。また、前記した第２の問題（拡散角が狭いという問題）については、例えば、ＬＥＤの出射光をサブリフレクターで拡散反射させてリフレクターに導くように構成したり、ＬＥＤの出射光を拡散レンズで拡散して投射レンズに導くように構成すれば、投射レンズ全体が発光すると考えた。そして、発明者は、試作品を作って、その効果を確認したところ、非常に有効であることが確認されたので、このたび本発明を提案するに至ったものである。
【０００７】
本発明の目的は、前記従来技術の問題点ならびに前記した発明者の知見に基づいてなされたもので、その目的はクリアランスランプ用光源であるＬＥＤを内蔵する光投射ユニットを備えた投射型自動車用ヘッドランプを提供することにある。
【課題を解決するための手段】
【０００８】
前記目的を達成するために、請求項１に係る投射型自動車用ヘッドランプにおいては、略椀形状のリフレクターと、前記リフレクターの略第１焦点に配置された光源と、前記リフレクターの第２焦点より前方に配置された投射レンズとを一体化した光投射ユニットを備え、前記光投射ユニット内にクリアランスランプ用の光源が設けられた投射型自動車用ヘッドランプにおいて、
前記光投射ユニットの周壁に光投射ユニット外に連通する開口を設け、該開口に、前記クリアランスランプ用の光源であるＬＥＤと、前記ＬＥＤの出射光を拡散光にして前記リフレクターまたは前記投射レンズに導くサブリフレクターを配置するように構成した。
【０００９】
また、前記目的を達成するために、請求項４に係る投射型自動車用ヘッドランプにおいては、略椀形状のリフレクターと、前記リフレクターの略第１焦点に配置された光源と、前記リフレクターの第２焦点より前方に配置された投射レンズとを一体化した光投射ユニットを備え、前記光投射ユニット内にクリアランスランプ用の光源が設けられた投射型自動車用ヘッドランプにおいて、
前記光投射ユニットの周壁に光投射ユニット外に連通する開口を設け、該開口に、前記クリアランスランプ用の光源であるＬＥＤと、前記ＬＥＤの出射光を拡散光にして前記リフレクターまたは前記投射レンズに導く拡散レンズを配置するように構成した。
（作用）ＬＥＤは、白熱バルブに比べて、消費電力が少なく寿命も長い。また、ＬＥＤは白熱バルブに比べて耐熱性に劣るが、ＬＥＤの配置されている光投射ユニットの周壁の開口は、光投射ユニット外に連通しているためユニット内ほどの高温とならず、この開口に配置されるＬＥＤは熱的損傷を受けることもない。
【００１０】
また、ＬＥＤは、コンパクトであるため、光投射ユニットに配置する上でのレイアウトも容易である。特に、光投射ユニットの周壁の開口に配置されたコンパクトなＬＥＤは、投射レンズの光軸から大きく離間するため、投射レンズを通してＬＥＤが見えることはなく、クリアランスランプ（およびヘッドランプ）非点灯時のランプの見栄え（被視認性）も良好となる。
【００１１】
また、ＬＥＤは、白熱バルブに比べて出射光の指向性が強い（拡散角が狭い）ため、平滑な反射面を備えたサブリフレクターでＬＥＤの出射光をリフレクターまたは投射レンズに反射するように構成しただけでは、ＬＥＤの出射光がリフレクターまたは投射レンズの一部の領域にしか導かれず、投射レンズ全体を発光させることは困難であるが、請求項１では、サブリフレクター表面の拡散反射面がＬＥＤの出射光を拡散光にしてリフレクターまたは投射レンズの広範囲の領域に導くので、リフレクターの広範囲の領域で反射された光により、または投射レンズの広範囲の領域に直接導かれた光により、投射レンズ全体が発光する。
【００１２】
また、ＬＥＤの出射光がそのままリフレクターまたは投射レンズを直射するように構成しただけでは、ＬＥＤの出射光がリフレクターまたは投射レンズの一部の領域にしか導かれず、投射レンズ全体を発光させることは困難であるが、請求項４では、ＬＥＤと投射レンズ間に配置された拡散レンズの拡散ステップがＬＥＤの出射光（拡散レンズ透過光）を拡散光にしてリフレクターまたは投射レンズの広範囲に導くので、リフレクターの広範囲の領域で反射された光により、または投射レンズの広範囲の領域に直接導かれた光により、投射レンズ全体が発光する。
【００１３】
また、請求項１（請求項４）において、ＬＥＤの出射光をサブリフレクター（拡散レンズ）で直接、投射レンズに導く場合は、途中にリフレクターを介在させて導く場合に比べて、ＬＥＤの出射光が投射レンズに至るまでの光路長が短く、光のエネルギー損失が少ない分、それだけ投射レンズの発光量が大きい。
【００１４】
請求項２においては、請求項１に記載の投射型自動車用ヘッドランプにおいて、  前記サブリフレクターを、横方向に延在するシリンドリカルステップが縦方向に連続する上下方向拡散反射面を備えた構成とした。
（作用）横方向に延在するシリンドリカルステップが縦方向に連続する拡散反射面は、サブリフレクターでの反射光をシリンドリカルステップ毎に上下方向に大きく拡散反射させるので、ＬＥＤの光軸対応位置近傍ほど光量が大きいという光量の格差を平滑化するとともに、サブリフレクターの縦方向の寸法を小さくできる。
【００１５】
請求項３においては、請求項１または２に記載の投射型自動車用ヘッドランプにおいて、前記サブリフレクターを、前記ＬＥＤの光軸周りの回転放物面で構成した左右方向拡散反射面で構成した。
（作用）ＬＥＤの光軸周りの回転放物面で構成した左右方向拡散反射面は、ＬＥＤの出射光を左右方向広範囲に拡散反射できるとともに、左右方向拡散反射面の焦点位置に基づいてサブリフレクター（の左右方向拡散反射面）の拡散角を自由に設定できるので、サブリフレクターの形状および配置の自由度が高い。
【００１６】
請求項５においては、請求項１〜４のいずれかに記載の投射型自動車用ヘッドランプにおいて、前記投射レンズ外周の少なくとも一部にプリズムレンズを設けるように構成した。
（作用）クリアランスランプの点灯時には、投射レンズおよびその外側のプリズムレンズが発光し、投射レンズだけが発光する場合よりも発光面積が大きい分、遠方からの視認性が良好となる。
【００１７】
また、ヘッドランプの点灯時（クリアランスランプおよびヘッドランプの点灯時）には、投射レンズの光軸に対応する領域（投射レンズの中心付近）が特に明るく発光するとともに、投射レンズ全体およびその外側のプリズムレンズも薄明るく発光し、従来では見られない斬新な被視認性（見栄え）が得られる。
【発明の効果】
【００１８】
以上の説明から明らかなように、請求項１または請求項４に係る投射型自動車用ヘッドランプによれば、クリアランスランプ用光源であるＬＥＤを内蔵する光投射ユニットを備えた、クリアランスランプ点灯時および非点灯時の被視認性に優れた投射型自動車用ヘッドランプが提供される。
【００１９】
また、請求項１（請求項４）において、ＬＥＤの出射光をサブリフレクター（拡散レンズ）で直接、投射レンズに導く場合は、途中にリフレクターを介在させて導く場合に比べて、クリアランスランプ点灯時の投射レンズがより明るく発光するので、クリアランスランプ点灯時の被視認性が一層優れたものとなる。
【００２０】
請求項２によれば、サブリフレクターの光投射ユニット外方への突出量が小さくても投射レンズの全体、特に、シリンドリカルステップによる拡散方向全体がほぼ均一の明るさで発光するので、クリアランスランプの被視認性に優れるとともに、光投射ユニットの大きさ、ひいてはヘッドランプの正面視形状をコンパクト化できる。
【００２１】
請求項３によれば、サブリフレクターの形状および配置の自由度が高いので、それだけクリアランスランプの設計がし易い。
【００２２】
請求項５によれば、クリアランスランプ点灯時の遠方からの被視認性が改善されるとともに、ヘッドランプ点灯時（クリアランスランプおよびヘッドランプの点灯時）の斬新な被視認性（見栄え）により、他のヘッドランプとの差別化を図ることができる。
【発明を実施するための最良の形態】
【００２３】
次に、本発明の実施の形態を、実施例に基づいて説明する。図１および図２は、本発明の第１の実施例である投射型自動車用ヘッドランプを示し、図１は同ヘッドランプの縦断面図、図２は同ヘッドランプの要部であるサブリフレクターの拡散反射面の構造を示す図で、（ａ）はサブリフレクターの縦断面図、（ｂ）はサブリフレクターの水平断面図（図２（ａ）に示す線ＩＩ−ＩＩに沿う断面図）である。
【００２４】
図１において、符号１０は、前方の開口する容器状に形成された投射型自動車用ヘッドランプの合成樹脂製ランプボディで、ランプボディ１０の前面開口部には、透明な前面カバー１２が組み付けられて、灯室Ｓが画成されている。灯室Ｓ内には、光源を備えたリフレクター２６の前方に投射レンズ２８を一体化した光投射ユニットＵが収容され、光投射ユニットＵは、エイミング機構によって傾動調整できる。
【００２５】
即ち、ランプボディ１０と光投射ユニットＵ間に介装されているエイミング機構は、図示して説明しないが、左右エイミングスクリューと上下エイミングスクリューと前記２本のエイミングスクリューに対し正面視直交する位置に設けられた玉継手などの傾動支点で主として構成されている。そして、上下エイミングスクリューおよび左右エイミングスクリューの回動操作により、ヘッドランプの照射軸（光投射ユニットＵの光軸）Ｌを上下左右方向に傾動調整（エイミング）できる。符号１８は、光投射ユニットＵを取り囲み、光投射ユニットＵと干渉しないように配設されたエクステンションリフレクターである。
【００２６】
光投射ユニットＵは、光源である放電バルブ２４の挿着された前面側が開口する略椀形状で正面視略楕円体形状のアルミダイキャスト製リフレクター２６と、リフレクター２６の前方に配置された、透明ガラス製の投射レンズ２８および透明樹脂製のプリズムレンズ２９と、リング状に形成され、その軸方向前端部がプリズムレンズ２９を把持し、その軸方向後端部がリフレクター２６の前面側に固定されたアルミダイキャスト製レンズホルダー３０と、が一体化されて構成されている。
【００２７】
リフレクター２６の内側にはアルミ蒸着処理された楕円反射面２６ａが形成され、この楕円反射面２６ａは第１焦点Ｆ１と第２焦点Ｆ２とを有し、第１焦点Ｆ１位置には放電バルブ２４の放電中心が位置している。また、投射レンズ２８の焦点は楕円反射面２６ａの第２焦点Ｆ２付近にあって、バルブ２４の発光はリフレクター２６の反射面２６ａで反射して第２焦点Ｆ２で集光するが、この集光した光が投射レンズ２８によってヘッドランプの前方に略平行光となって投射配光される。
【００２８】
リフレクター２６の下面壁には、光投射ユニットＵの外部に連通する開口５０が設けられ、この開口５０の下方には、レンズホルダー３０に固定されたＬＥＤ４０が前方斜め上向きに配置されるとともに、ＬＥＤ４０の出射光を拡散光にしてリフレクター２６の反射面２６ａに導くサブリフレクター４２が同じくレンズホルダー３０に固定されて配置されている。ＬＥＤ４０およびサブリフレクター４２は、レンズホルダー３０下部の斜めに延在するブラケット３０ａに予め取着一体化されており、レンズホルダー３０をリフレクター２６に組み付けることで、開口５０内所定位置にＬＥＤ４０およびサブリフレクター４２が配置される。
【００２９】
投射レンズ２８とプリズムレンズ２９は、投射レンズ２８のフランジ状周縁部がプリズムレンズ２９前縁側に周設された凹溝２９ｄに係合して抜け止め一体化されている。プリズムレンズ２９は、縦割りされた二分割構造（上側レンズ２９ａと下側レンズ２９ｂ）で、両者２９ａ，２９ｂ間の接合面は、例えば、接着剤によって接着固定されることで、投射レンズ２８とプリズムレンズ２９が一体化されている。
【００３０】
そして、プリズムレンズ２９内周の背面側には、リフレクター２６の反射面２６ａに対し略正対する傾斜面２９ｃが周設されており、リフレクター２６の反射面２６ａで反射されてプリズムレンズ２９に向かう光はこの傾斜面２９ｃから的確に入射できる。
【００３１】
符号１６は、ランプボディ１０の底部に固定されたバラスト回路ユニットで、バラスト回路ユニット１６から導出した出力ケーブル１７が放電バルブ２４の後端部に接続されている。
【００３２】
サブリフレクター４２の反射面４２ａは、図２（ａ），（ｂ）に示すように、ＬＥＤ４０の発光部を焦点ｆ１とする、ＬＥＤ４０の光軸Ｌ１周りの回転放物面で構成されている。また、反射面４２ａは、図２（ａ）に示すように、横方向（左右方向）に延在するシリンドリカルステップ４３が縦方向に連続する構造で、ＬＥＤ４０の出射光は、反射面４２ａで反射されることで上下方向に大きく拡散し、上下方向拡散角θｙの反射光となってリフレクター２６（の反射面２６ａ）に導かれる。また、反射面４２ａは、図２（ｂ）に示すように、所定の左右巾ｄに形成されており、ＬＥＤ４０の出射光は、反射面４２ａで反射されることでリフレクター２６の反射面２６ａの左右巾に対応する左右方向拡散角θｘの反射光としてリフレクター２６（の反射面２６ａ）に導かれる。
【００３３】
このように、ＬＥＤ４０の出射光は、サブリフレクター４２の反射面４２ａで反射されることで上下左右に拡散された拡散光としてリフレクター２６に導かれ、さらにリフレクター２６の反射面２６ａで前方に反射されることで、投射レンズ２８およびプリズムレンズ２９に略均等に導かれて、投射レンズ２８およびプリズムレンズ２９全体が発光する。
【００３４】
このように構成された本実施例のヘッドランプでは、クリアランスランプの点灯時に、ＬＥＤ４０の出射光がサブリフレクター４２の拡散反射面４２ａとリフレクター２６の反射面２６ａを経て拡散光として投射レンズ２８およびプリズムレンズ２９に略均等に導かれて、投射レンズ２８およびプリズムレンズ２９全体が発光するので、投射レンズ２８だけが発光する場合よりも発光面積が大きい分、遠方からの被視認性が良好となる。
【００３５】
特に、横方向に延在するシリンドリカルステップ４３が縦方向に連続する拡散反射面４２ａでは、サブリフレクター４２での反射光をシリンドリカルステップ４３毎に上下方向に大きく拡散反射させるので、ＬＥＤの光軸対応位置近傍ほど光量が大きいという光量の格差が平滑化されて、投射レンズ２８およびプリズムレンズ２９全体の発光量が縦方向に平均化されて、クリアランスランプの点灯時の被視認性が一層良好となる。
【００３６】
また、ヘッドランプの点灯時（クリアランスランプおよびヘッドランプの点灯時）には、投射レンズ２８の中心付近が特に明るく発光するとともに、投射レンズ２８全体およびその外側のプリズムレンズ２９も薄明るく発光し、従来では見られない斬新な被視認性（見栄え）が得られる。
【００３７】
また、ＬＥＤ４０は、白熱バルブに比べて、消費電力が少なく寿命も長いという点で優れており、さらに、ＬＥＤは白熱バルブに比べて耐熱性に劣るが、ＬＥＤ４０の配置されている光投射ユニットＵの下面壁の開口５０下方は、光投射ユニットＵ外に連通しているためユニットＵ内ほどの高温とならないため、ＬＥＤ４０が熱的損傷を受けるおそれもない。
【００３８】
また、ＬＥＤ４０は、コンパクトな上に、光投射ユニットＵ下面壁の開口５０の下方に配置されて、投射レンズ２８の光軸から下方に大きく離間するため、投射レンズ２８やプリズムレンズ２９を通してＬＥＤ４０が見えることはなく、クリアランスランプ（およびヘッドランプ）非点灯時のランプの見栄え（被視認性）も良好である。
【００３９】
図３は、本発明の第２の実施例である投射型自動車用ヘッドランプの要部である光投射ユニットの縦断面図を示している。
【００４０】
前記した第１の実施例では、ＬＥＤ４０の前方斜め上方への出射光をサブリフレクター４２で後方に拡散反射し、この光がリフレクター２６で反射されて投射レンズ２８およびプリズムレンズ２９にほぼ均等に導かれるように構成されているが、この第２の実施例では、ＬＥＤ４０の後方斜め上方への出射光を拡散レンズ４４を介してリフレクター２６に導くように構成されている。
【００４１】
即ち、ＬＥＤ４０には、側壁の開口（開口部を４５で示す）するキャップ型の拡散レンズ４４が取着一体化されており、拡散レンズ４４の表面側には、透過光を上下左右に拡散させる拡散ステップ（魚眼ステップ、シボステップなど）４４ａが設けられている。このため、ＬＥＤ４０の出射光が拡散レンズ４４を透過することで、上下左右に拡散された光としてリフレクター２６に導かれ、さらに反射面２６ａで反射されて、投射レンズ２８およびプリズムレンズ２９に略均一に導かれる。
【００４２】
その他は、前記第１の実施例と同様であり、同一の符号を付すことで、その重複した説明は省略する。
【００４３】
図４は、本発明の第３の実施例である投射型自動車用ヘッドランプの要部である光投射ユニットの縦断面図を示している。
【００４４】
前記した第１，第２の実施例では、ＬＥＤ４０の出射光をサブリフレクター４２または拡散レンズ４４で拡散光としてリフレクター２６に導き、リフレクター２６で反射された光が投射レンズ２８およびプリズムレンズ２９にほぼ均等に導かれるように構成されているが、この第３の実施例では、ＬＥＤ４０の後方斜め上方への出射光をサブリフレクター４２を介して直接、投射レンズ２８およびプリズムレンズ２９に導くように構成されている。
【００４５】
即ち、ＬＥＤ４０の出射光は、サブリフレクター４２の拡散反射面４２ａで反射されて上下左右に拡散された拡散光となって、投射レンズ２８およびプリズムレンズ２９に略均一に導かれて、投射レンズ２８およびプリズムレンズ２９全体が発光する。
【００４６】
その他は、前記第１，第２の実施例と同様であり、同一の符号を付すことで、その重複した説明は省略する。
【００４７】
本実施例では、ＬＥＤ４０の出射光が投射レンズ２８に至るまでの光路長が前記した第１，第２の実施例と比較して短いので、光のエネルギー損失が少なく、それだけ投射レンズ２８およびプリズムレンズ２９の発光量が大きく、クリアランスランプ点灯時の被視認性に優れている。
【００４８】
図５は、本発明の第４の実施例である投射型自動車用ヘッドランプの要部である光投射ユニットの縦断面図を示している。
【００４９】
前記した第３の実施例では、ＬＥＤ４０の後方斜め上方への出射光をサブリフレクター４２を介して投射レンズ２８およびプリズムレンズ２９に導くように構成されているが、この第４の実施例では、ＬＥＤ４０の前方斜め上方への出射光を拡散レンズ４４を介して直接、投射レンズ２８およびプリズムレンズ２９に導くように構成されている。
【００５０】
即ち、ＬＥＤ４０の出射光は、拡散レンズ４４を透過することで上下左右に拡散された拡散光となって、投射レンズ２８およびプリズムレンズ２９に略均一に導かれて、投射レンズ２８およびプリズムレンズ２９全体が発光する。
【００５１】
その他は、前記第１，第２，第３の実施例と同様であり、同一の符号を付すことで、その重複した説明は省略する。
【００５２】
本実施例においても前記第３の実施例と同様に、ＬＥＤ４０の出射光が投射レンズ２８に至るまでの光路長が前記した第１，第２の実施例と比較して短いので、光のエネルギー損失が少なく、それだけ投射レンズ２８およびプリズムレンズ２９の発光量が大きく、クリアランスランプ点灯時の被視認性に優れている。
【００５３】
なお、前記した第１〜第４の実施例では、光投射ユニットＵの下面壁に設けた開口５０内にＬＥＤ４０が配置されているが、開口５０の形成位置は、光投射ユニットＵの下面壁に限るものではなく、光投射ユニットＵの周壁（例えば側面壁や上面壁）に設けた開口５０内にＬＥＤ４０を配置してもよい。しかし、光投射ユニットＵ内の温度は、上部ほど高く下部ほど低いので、光投射ユニットＵの下面壁に設けた開口部５０内にＬＥＤ４０を配置することが、ＬＥＤ４０の熱的損傷を回避する上で最も望ましい。さらに、ＬＥＤ４０の熱的損傷を十分に回避できることから、それだけＬＥＤ４０を開口５０に接近させて配置でき、ＬＥＤ４０が光投射ユニットＵの下方に大きく突出することもなく、それだけ光投射ユニットＵの上下高さをコンパクトにできる。
【００５４】
また、前記した第１〜第４の実施例では、クリアランスランプ用の光源として１個のＬＥＤ４０が使用されているが、クリアランスランプとしての発光量が足らないとか、リフレクター２６や投射レンズ２８およびプリズムレンズ２９の広範囲にＬＥＤ４０の出射光を拡散して導くことができない場合には、複数個のＬＥＤ４０を並列に配置することが望ましい。
【００５５】
また、前記した実施例では、投射レンズ２８の外側にリング状のプリズムレンズ２９が配置されて、クリアランスランプの点灯時には投射レンズ２８およびプリズムレンズ２９全体が発光するように構成されているが、リング状のプリズムレンズ２９の裏側に例えば所定形状の遮光部を形成して、遮光部で遮光されないプリズムレンズ２９の周方向の一部が投射レンズ２８とともに発光するように構成してもよい。
【図面の簡単な説明】
【００５６】
【図１】本発明の第１の実施例である投射型自動車用ヘッドランプの縦断面図である。
【図２】同ヘッドランプの要部であるサブリフレクターの拡散反射面の構造を示す図で、（ａ）はサブリフレクターの縦断面図、（ｂ）はサブリフレクターの水平断面図（図２（ａ）に示す線ＩＩ−ＩＩに沿う断面図）である。
【図３】本発明の第２の実施例である投射型自動車用ヘッドランプの要部である光投射ユニットの縦断面図である。
【図４】本発明の第３の実施例である投射型自動車用ヘッドランプの要部である光投射ユニットの縦断面図である。
【図５】本発明の第４の実施例である投射型自動車用ヘッドランプの要部である光投射ユニットの縦断面図である。
【図６】従来のヘッドランプの縦断面図である。
【符号の説明】
【００５７】
１０  ランプボディ
１２  前面カバー
Ｕ  光投射ユニット
２４  ヘッドランプ用の光源であるバルブ
２６  略椀形状のリフレクター
２６ａ  リフレクターの反射面
Ｆ１  リフレクターの第１焦点
Ｆ２  リフレクターの第２焦点
２８  投射レンズ
２９  プリズムレンズ
３０  レンズホルダー
４０  クリアランスランプ用の光源であるＬＥＤ
Ｌ１  ＬＥＤの光軸
４２  サブリフレクター
４２ａ  拡散反射面
４３  シリンドリカルステップ
４４  拡散レンズ
４４ａ  拡散ステップ
５０  開口
【図１】
2006086062.tif 000003
【図２】
2006086062.tif 000004
【図３】
2006086062.tif 000005
【図４】
2006086062.tif 000006
【図５】
2006086062.tif 000007
【図６】
2006086062.tif 000008